(57)【要約】【課題】  洗濯物を乾燥させる物干し器あるいは衣服、洗濯ハンガーに使用するものであって、吊下げフック部材に挟持部材を回動自在に装着させて、物干竿に対する挟持間隔を一定に保つようにして風などによるガタつきを防止し且つ物干竿から外れないように改良した物干し用フックを提供するものである。【解決手段】  合成樹脂からなる素材の吊下げフック部材と挟持部材を施した凹凸のみによるストッパー受部と小突起ストパーを設け、鉤部などに滑り止め部を施して金属バネを使用せず部品数を少なくし、同時に物干竿への挟持を簡単で確実にして洗濯物に当る風で吊るした場所から移動して洗濯物が互いに密着して乾燥を遅くしたり、物干竿から外れて洗濯物を汚したりしない物干し用フックを提供する。【選択図】  図２
2006181301.tif 000002
【特許請求の範囲】
【請求項１】
合成樹脂からなる素材で成型した吊下げフック部材の鉤部に略横Ｕ字型状した挟持部材の空間部を嵌め込んで回動自在に取付けた挟持部材と吊下げフック部材において、該鉤部の側壁若しくは下方の曲部に突設した突起ピンの近傍にストッパー受部を設け、該突起ピンを前記挟持部材の軸孔に嵌めることで挟持部材が上方に回動することができ、該挟持部材の内側には前記ストッパー受部に接触する位置にストッパーを施して挟持部材が物干竿との挟持幅を一定に保てるようにしたことを特徴とする物干し用フックである。
【発明の詳細な説明】
【技術分野】
【０００１】  この発明は、下着、衣類などを洗濯した後、その洗濯物を干して乾燥させる物干し具であり、物干竿に吊下げる際の掛け外しを容易にして衣服ハンガーや物干し具が風にあおられて吊るした場所から簡単に移動したり物干竿から外れないように改良した物干し用フックである。
【背景技術】
【０００２】  この種の掛け具を有するハンガーや物干し具においては、物干竿に当初吊るした場所からずれたり、外れたりしないようにバネを使って物干竿を鋏む機構の物干し具や、吊下げフックの内側に特許文献に示したようにハンガーの主体部の上部に設けた鈎部の内側空間を横切る長脚片と短脚片で構成するＶ字状の係着部材をボス部により枢着させて、前記の長脚辺と短脚片の弾性の復元力で鈎部の内壁面に圧着させてハンガーを物干竿に係着させるようにしたハンガーの係止装置などが提案されている。
【特許文献１】  特許第２９４９０６２号
【発明の開示】
【発明が解決しようとする課題】
【０００３】  従来の物干し具の掛け具においては、洗濯物に当る風で吊るした場所から移動して洗濯物が互いに密着して乾燥を遅くしたり、物干竿から外れて洗濯物を汚したりしないようにするために金属バネ構造による掛け具が知られているが、バネを使用した場合、錆やコストの問題がありシンプルで安価に提供したい製品の場合は使用する各部品も少なく操作の簡単なものが望まれている。【０００４】  特許文献１は叙述の目的で提案されているが係着部材がＶ字状に突出させた長脚片と短脚片の弾性の復元力で鈎部の内壁面を圧着しているので衣類が乾燥しある程度軽量になった時に短脚片が下方に落ちて外れる虞があり、Ｖ字状に形成した係着部材は鋭角な状態で物干竿を挟持することになるので弾性力で弾き返されたり無理にやり押し込んで破損する可能性などあり、また鋼線などのバネ材を用いたり、部品を多くすることは金属の錆やコストアップなどの問題がある。【０００５】  この発明は、金属バネによる錆など発生しない素材を使用し部品数を少なくすると同時に物干竿への挟持を簡単で確実にして、洗濯物に当る風で吊るした場所から移動して洗濯物が互いに密着して乾燥を遅くしたり、物干竿から外れて洗濯物を汚したりしない物干し用フックを提供する。
【発明が解決するための手段】
【０００６】  前述した課題を達成するために、この発明は合成樹脂からなる素材で成型した吊下げフック部材の鉤部に略横Ｕ字型状した挟持部材の空間部を嵌め込んで回動自在に取付けた挟持部材と吊下げフック部材において、該鉤部の側壁若しくは下方の曲部に突設した突起ピンの近傍にストッパー受部を設け、該突起ピンを前記挟持部材の軸孔に嵌めることで挟持部材が上方に回動することができ、該挟持部材の内側には前記ストッパー受部に接触する位置にストッパーを施して挟持部材が物干竿との挟持幅を一定に保てるようにしたことを特徴とする物干し用フックである。
【発明の効果】
【０００７】  吊下げフック部材は湾曲した鉤部と下方の曲部から垂直に延びる延長部と傾斜面を持つ支柱部の根元部に鍔部を設け、該鍔部の下部に軸頭部を成型してあるので衣服ハンガー本体や物干し具本体との連結基台に簡単に連結でき、前記の延長部の先端にある引掛部を鋭角状にして鴨居などに掛けられる。
【０００８】  また、吊下げフック部材の曲部両側に突起ピンを突設し、略横Ｕ字型状の挟持部材の空間部は該吊下げフック部材の厚み幅より極わずかに広くし軸孔の位置を通り抜けるところまで形成して押え部を設けたので、無理なく該吊下げフック部材を該空間部に挿入して該突起ピンを軸孔に回動自在に嵌着して、該押え部の断面を逆凹状にして傾斜した支柱部より下方に回動しないように挟持部材を装備する。
【０００９】  該吊下げフック部材に回動自在に装備してなる挟持部材を物干竿に掛ける場合、挟持部材の開口部に物干竿が入ると該挟持部材が上方に回動して該鉤部が空間部を通りストッパー受部を越えることで該押え部は物干竿の径に応じた位置で固定され、風などによる物干し用フックの上下のガタつきが防止される効果が発揮される。
【００１０】  また、物干竿から取り外す時は、上方に回動固定した該挟持部材の押え部を下方へ移動すると該吊下げ部材のストッパー受部を乗り越えて挟持部材が回動して開口部が開き物干竿から容易に外すことができる。
【発明を実施するための最良の形態】
【００１１】  図面に基づいてこの発明に係る物干し用フックについての最良の形態を詳細に説明する。
合成樹脂からなる素材で成型した吊下げフック部材１０は、湾曲した鉤部７の中央のストッパー受部１１を膨出するように施し、下方の曲部の両側面に突起ピン１４を設け、この突起ピン１４より垂直に延びる延長部１３と前記の曲部から傾斜する支柱部９の根元部６には鍔部２６を設けその下部に軸頭部２１を形成してあり、この吊下げフック部材１０の鉤部７に略横Ｕ字型状した挟持部材１５の空間部１７を嵌め込んで該吊下げフック部材１０に突設した突起ピン１４を挟持部材１５の軸孔１８に回動自在に嵌着する。【００１２】  該空間部１７の幅は吊下げフック部材１０の厚み幅より極わずかに広くして回動操作を妨げないようにしてあり、該挟持部材１５の押え部１６は傾斜した支柱部９より下方に回動しないようにその断面を逆凹状にして該支柱部９に嵌まるように装備されて物干し用フックＡを構成する。
【実施例１】
【００１３】  合成樹脂からなる素材の吊下げフック部材１０は、湾曲した鉤部７の中央に滑り止部１１ａを成型して下方の曲部の両側面に突起ピン１４を設け、この突起ピン１４の近傍にはストッパー受部１１′を施し垂直に延びる延長部１３と前記の曲部から傾斜する支柱部９の根元部６には鍔部２６を設けて、下部に軸頭部２１を形成する。【００１４】  該軸頭部２１を弾性片２３のある旋回筒２５の挿入孔２４に差込んだ後、該旋回筒２５に設けた左右の回転軸２２を箱状の連結基台２０に嵌装し、前記のストッパー受部１１′との接触面に小突起ストッパー１２を施した略横Ｕ字型状の挟持部材１５の空間部１７を該鉤部７に嵌め込んで軸孔１８に該吊下げフック部材１０に設けた突起ピン１４を回動自在に嵌着する。【００１５】  該空間部１７の幅は吊下げ部材１０の厚み幅より極わずかに広くして上下の回動操作を妨げないようにしてあり、該挟持部材１５の押え部１６は傾斜した支柱部９より下方に回動しないようにその断面を逆凹状にして支柱部９に嵌まるように装備されて物干し器用吊下げ部材Ｂが構成される。【００１６】  物干し具用吊下げ部材Ｂの連結基台２０には左右前後に長孔１９を穿設し、洗濯バサミを多数吊るしてなる長方形状の物干器本体Ｃを鎖やワイヤー２７で以って前記の長孔に通して吊るせるようにして図５の洗濯物干し器を得る。【００１７】  洗濯物干し器を使用する時は、物干し器用吊下げ部材Ｂの開口部５に物干竿を掛けると該挟持部材１５の押え部１６が上方に回動し、該空間部１７が湾曲した鉤部７を通り、該挟持部材１５に設けた小突起ストッパー１２がストッパー受部１１′に接触しながら該スットパー受部１１′を乗り超え、該押え部１６が持ち上がり物干竿の下半径の周面を抱えるような状態で保持される。【００１８】  該挟持部材１５の空間部１７幅を鉤部７より極わずかに広くし、その長さを軸孔１８の位置を通り抜けたところまでにして押え部１６を形成してあるので、挟持部材１５は無理なく回動し小突起ストッパー１２を施してあるので風などで押え部１６が下方に戻り開口部５が開いて物干竿に掛けた場所から移動したり外れたりする心配がなくなる。【００１９】  また、吊下げフック部材１０の下方の曲部から垂直に延びる延長部１３は先端にある引掛部８を鋭角状にして鴨居などに掛けられようにしてある。【００２０】物干竿から取り外す時は、上方に回動固定した該挟持部材１５の押え部１６を下方へ移動すると小突起ストッパー１２はストッパー受部１１′を乗り越えて挟持部材１５が回動して開口部５が開き、物干竿から簡単に外すことができる。
【実施例２】
【００２１】  この発明に係る他の実施例は、衣服ハンガーや洗濯物ハンガーに使用するものであって、ハンガー本体（図示せず）に中央部に弾性片を有する挿入孔を設け、物干し用フックＡの軸頭部２１を前記の挿入孔に回転自在に装着して使用する。【００２２】  物干し用フックＡを一体成型したハンガー本体に装着することで、特許文献１のようなＶ字状に形成した係着部材における鋭角な状態で物干竿を挟持することはなくなるので弾性力で弾き返されたりして物干竿から外れる虞も全くなく、また鋼線などのバネ材を用いたり、部品を多くすることなくコストアップなどの問題も解消される。【００２３】  この発明は、合成樹脂で成型した凹凸のみによるストッパー受部と小突起ストパーを設け、鉤部などに滑り止め部を施したから、金属バネによる錆なども発生せず部品数を少なくし同時に物干竿への掛け外しを操作を簡単にして物干竿との挟持幅を一定に保ち、洗濯物に当る風で吊るした場所から移動して洗濯物が互いに密着して乾燥を遅くしたり、物干竿から外れて洗濯物を汚したりしない物干し用フックを提供する。
【図面の簡単な説明】
【００２４】
【図１】この発明に係る物干し用フックの全体斜視図。
【図２】連結基台を取付けた物干し器用吊下げ部材の全体斜視図。
【図３】挟持部材の空間部を背面から見た斜視図。
【図４】各部材の連結状態を示した物干し器用吊下げ部材の部分断面図。
【図５】この発明に係る物干し用フックを使用した洗濯物干し器の全体斜視図
【符号の説明】
【００２５】５  開口部
７  鉤部
８  引掛部
９  支柱部
１０  吊下げフック部材
１１  ストッパー受部
１２  小突起ストッパー
１４  突起ピン
１５  挟持部材
１６  押え部
１７  空間部
１８  軸孔
２０  連結基台
２１  軸頭部
２２  回転軸
２３  弾性片
２５  旋回筒
Ａ    物干し用フック
Ｂ    物干し器用吊下げ部材
Ｃ    物干器本体
【図１】
2006181301.tif 000003
【図２】
2006181301.tif 000004
【図３】
2006181301.tif 000005
【図４】
2006181301.tif 000006
【図５】
2006181301.tif 000007